(57)【特許請求の範囲】
【請求項１】
筐体内に弾性的に吊支した外槽と、回転中心軸を略鉛直方向に有し前記外槽内に回転自在に支持した内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、前記送風手段による送風中のほこり、糸くずなどを回収するフィルター装置とを備え、前記フィルター装置は、送風が入り込むフィルターケースを有し、前記フィルターケースの中に網目の大きさが異なる第１フィルター本体と第２フィルター本体とで構成し、これらフィルター本体の把手部を筐体の表面にそれぞれ露出させ、一方のフィルター本体は、前記フィルターケースの内側面に設けた傾斜ガイドリブに沿って、前記フィルターケースに収容するようにした洗濯乾燥機。
【請求項２】
一方のフィルター本体は、その逆向き挿入時においては、フィルターケース内側面に設けた傾斜ガイドリブの下方に設けたフィルター本体固定リブ内に受け入れられない構成とした請求項１記載の洗濯乾燥機。
【発明の詳細な説明】
【０００１】
【発明の属する技術分野】
本発明は、回転中心軸を略鉛直方向に有する内槽内に温風を送風して衣類を乾燥させる行程を有し、洗濯から乾燥までを一貫して実施できる洗濯乾燥機に関するものである。
【０００２】
【従来の技術】
従来、この種の洗濯乾燥機は図１１および図１２に示すように構成していた。以下、その構成について説明する。
【０００３】
図１１に示すように、筐体１は、内部に複数のサスペンション２によって弾性的に吊り下げた外槽３を設け、脱水時の振動をサスペンション２によって吸収する構成としている。外槽３の内部には、回転中心軸を鉛直方向に有し、洗濯および乾燥対象物（以下、衣類という）を収容する内槽４を中空で２重構造とした洗濯・脱水軸５を中心に回転可能に配設し、内槽４の内底部に衣類を撹拌する回転翼６を回転自在に配設している。また、内槽４の内部周壁には小孔（図示せず）を多数設けるとともに、上方には流体バランサ７を設
けている。
【０００４】
モータ８は、外槽３の底部に取り付け、洗濯または脱水時に回転力の伝達を洗濯・脱水軸５に切り換えるクラッチ９と洗濯・脱水軸５を介して、内槽４または回転翼６に連結している。回転翼６は外周部に外周方向に高くなる傾斜面１０を有する略鍋型の形状をし、撹拌用突出山部１１を形成して、乾燥行程においては、乾燥対象物を回転翼６の反転駆動時の回転による遠心力で傾斜面１０に沿って上方へと舞い上がりやすくしている。
【０００５】
乾燥用送風機１２は、ヒータ１３により加熱された温風を伸縮自在の上部蛇腹状ホース１４を通して温風噴出口１５より内槽４内に送風するもので、筐体１の略上方に設けている。循環ダクト１６は、湿った温風の除湿を行うもので、１端を外槽２の排水経路口１７に接続した下部蛇腹状ホース１８に接続し、他端を乾燥用送風機１２に接続している。
【０００６】
排水弁１９は、外槽２の底部に固定し、下部蛇腹状ホース１８と循環ダクト１６からの排水を、排水ダクト２０を通して排水弁１９に導き、排水ホース２１から機外へ排出するように構成している。外槽カバー２２は外槽３の上面を気密的に覆うもので、この外槽カバー２２に中蓋２３を開閉自在に設け、衣類の出し入れを行うようにしている。冷却用送風機２４は筐体１の内部に外部から冷却風を導入するもので、筐体１の側壁に設けている。乾燥用送風機１２の上流側には送風中のほこりを回収するフィルター装置２５を配設している。
【０００７】
制御装置２６は、マイクロコンピュータなどを具備し、モータ８、乾燥用送風機１２、ヒータ１３、排水弁１９、冷却用送風機２４などの動作を制御し、洗い、すすぎ、脱水、乾燥などの１連の行程を制御し、乾燥行程につづいて、乾燥用送風機１２と冷却用送風機２４を駆動させる送風行程を行うよう構成している。
【０００８】
フィルター装置２５は、図１２に示すように、送風が入り込むフィルターケース２７を有し、フィルターケース２７の中に網目の大きさが異なる網目の大きさが異なる第１フィルター本体２８と第２フィルター本体２９とを重ね合わせて収容し、第１フィルター本体２８、第２フィルター本体２９は着脱可能に配設している。網目３０が大きい第１フィルター本体２８を網目３１が小さい第２フィルター本体２９より上流側に設けており、第２フィルター本体２９は、フィルターケース２７の壁面に沿うように収容している。
【０００９】
上記構成において動作を説明する。洗い行程では、中蓋２３を開けて、内槽４内に衣類と洗剤を投入し、運転を開始すると給水弁（図示せず）を開いて所定の水位まで給水した後、モータ８を駆動する。このとき、伝達機構部のクラッチ９を洗濯側に設定して、モータ８の動力を洗濯軸を介して回転翼６に伝達し、回転翼６を回転することで、衣類が回転翼６の撹拌用突出山部１１に引っかかり回転し、内槽４の上部の衣類まで回転伝達され、そのとき、衣類同士、または内槽４、回転翼６との接触によるこすれにより洗濯する。
【００１０】
脱水行程では、洗い行程終了後、排水弁１９を開いて内槽４内の水を排水した後、伝達機構部のクラッチ９を脱水側に切り換えて、モータ８の動力を脱水軸を介し内槽４に伝達して回転させ、衣類に遠心力を与えることにより、水分を衣類から分離することで行う。
【００１１】
乾燥行程では、排水弁１９を開くとともに、伝達機構部のクラッチ９を洗濯側に設定して、モータ８の動力を洗濯軸を介して回転翼６に伝達して、図１１に示すように、回転翼６を回転させ、衣類をはね飛ばすようにする。すると回転翼６の傾斜面１０で衣類を上方へはね上げようとする力が働き（遠心力の分力）、衣類が撹拌される。
【００１２】
この撹拌を繰り返しながら乾燥用送風機１２による送風とヒータ１３による加熱により
、上部蛇腹状ホース１４を通して内槽４内へ温風を送り込む。この温風は、衣類の水分を奪った後、内槽４から外槽３の内側へ出た後、下部蛇腹状ホース１８を通過して、循環ダクト１６へ至る。ここで、乾燥用送風機１２の回転数は５０００ｒ／ｍｉｎである。
【００１３】
衣類の水分を奪って湿気を含んだ温風が、外槽３の内壁や循環ダクト１６内を通過しているとき、筐体１の側面に設置した冷却送風機２４による外部空気の流入で、外槽３や循環ダクト１６の外壁は冷却されることになり、その内部では、水分の結露が起こり、湿った温風は除湿されて乾燥用送風機１２へ戻る。この循環路で温風を循環させることにより、内槽４内の衣類を乾燥することができる。
【００１４】
制御装置２６は、乾燥検知手段（図示せず）からの出力により、衣類が乾燥したことを検知し、必要に応じて設定した遅延時間が経過して乾燥行程を終了すると、ヒータ１３をオフして送風行程を行い、衣類と機体が所定の温度にまで冷却された状態で運転を終了する。
【００１５】
乾燥行程に入り、衣類が乾燥をはじめると、衣類の素材などにより乾燥むらが生じ始める。乾燥むらを抑えて乾燥に要する時間を短縮するために、回転翼６を０．４秒オン、１．２秒オフの繰り返しで、正逆方向に往復回転させる。
【００１６】
また、乾燥行程終了直後の衣類は、高温でやけどの恐れがあるため、乾燥用送風機１２と冷却送風機２４の運転により冷却する必要がある。このときも衣類内の温度むらや乾きむらを抑え、冷却を促進するために、回転翼６を０．４秒オン、１．２秒オフの繰り返しで、正逆方向に往復回転させる。
【００１７】
衣類が乾燥すると、回転する回転翼６との摩擦により、衣類の表面からほこり、糸くずが発生して浮遊し、乾燥用送風機１２により発生する循環風によって、フィルター装置２５に運ばれる。糸くずは、まず、網目３０が大きい第１フィルター本体２８で回収され、第１フィルター本体２８で回収されなかった糸くずは、網目３１が小さい第２フィルター本体２９で回収される。使用者は運転終了後に第１フィルター本体２８、第２フィルター本体２９を外し、ほこりを機外へ排出できる。
【００１８】
【発明が解決しようとする課題】
このような従来の洗濯乾燥機では、使用者が運転終了後に第１フィルター本体２８と第２フィルター本体２９を外そうとしたとき、図１２に示すように、第１フィルター本体２８の把手部は、筐体１の表面に露出しているため、使用者は容易に取り外すことができるが、第２フィルター本体２９はフィルターケース２７の壁面に沿うように収容されているため、取り外しにくく、また、使用者から見えにくいため、取り外しを忘れ、ほこりの除去がされない場合も考えられる。その場合、送風が弱くなるため、乾燥効率は悪くなる。
【００１９】
本発明は上記従来の課題を解決するもので、フィルター本体の取り外し性、取り付け性を向上し、また、取り外し忘れを防いで、乾燥効率の悪化を防止することを目的としている。
【００２０】
【課題を解決するための手段】
本発明は上記目的を達成するために、筐体内に弾性的に吊支した外槽内に、回転中心軸を鉛直方向に有する内槽を回転自在に支持し、内槽の内底部に回転翼を回転自在に設け、内槽または回転翼を駆動手段により駆動し、加熱手段により加熱した循環風を送風手段により内槽内に送風し、送風手段による送風中のほこり、糸くずなどをフィルター装置により回収するよう構成し、フィルター装置は、送風が入り込むフィルターケースを有し、フィルターケースの中に網目の大きさが異なる第１フィルター本体と第２フィルター本体とで構成し、これらフィルター本体の把手部を筐体の表面にそれぞれ露出させ、一方のフィルター本体は、フィルターケースの内側面に設けた傾斜ガイドリブに沿って、フィルターケースに収容するようにしたものである。
【００２１】
これにより、フィルター本体の取り外し性、取り付け性を向上することができ、また、取り外し忘れを防ぐことができて、乾燥効率の悪化を防止することができる。
【００２２】
【発明の実施の形態】
本発明の請求項１に記載の発明は、筐体内に弾性的に吊支した外槽と、回転中心軸を略鉛直方向に有し前記外槽内に回転自在に支持した内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、前記送風手段による送風中のほこり、糸くずなどを回収するフィルター装置とを備え、前記フィルター装置は、送風が入り込むフィルターケースを有し、前記フィルターケースの中に網目の大きさが異なる第１フィルター本体と第２フィルター本体とで構成し、これらフィルター本体の把手部を筐体の表面にそれぞれ露出させ、一方のフィルター本体は、前記フィルターケースの内側面に設けた傾斜ガイドリブに沿って、前記フィルターケースに収容するようにしたものであり、フィルター本体の取り外し性を向上することができ、フィルター本体の取り外し忘れを防ぐことができて、乾燥効率の悪化を防止することができる。また、フィルター本体をフィルターケースに取り付ける際に、フィルター本体は、フィルターケースの内側面に設けた傾斜ガイドリブに沿って、フィルターケースに収容されるため、フィルター本体の取り付け性をよくすることができる。
【００２３】
請求項２に記載の発明は、上記請求項１に記載の発明において、一方のフィルター本体は、その逆向き挿入時においては、フィルターケース内側面に設けた傾斜ガイドリブの下方に設けたフィルター本体固定リブ内に受け入れられない構成としたものであり、フィルター本体をフィルターケースに取り付ける際に、誤って逆向きに取り付けようとした場合でも、フィルターケースの内側面に設けた傾斜ガイドリブの下方に設けたフィルター本体固定リブ内にフィルター本体は入らないため、フィルター本体の逆向き誤挿入を防ぐことができる。
【００２４】
【実施例】
以下、本発明の実施例について、図面を参照しながら説明する。なお、従来例と同じ構成のものは同一符号を付して説明を省略する。
【００２５】
（実施例１）
図１および図２に示すように、フィルター装置３２は、送風が入り込むフィルターケース３３を有し、フィルターケース３３の中に網目の大きさが異なる第１フィルター本体３４と第２フィルター本体３５とを重ね合わせて収容し、第１フィルター本体３４、第２フィルター本体３５は着脱可能に配設している。
【００２６】
ここで、網目３６が大きい第１フィルター本体３４を網目３７が小さい第２フィルター本体３５より上流側に設けており、第２フィルター本体３５は、フィルターケース３３の壁面に沿うように収容している。
【００２７】
第１フィルター本体３４の把手部３８と第２フィルター本体３５の把手部３９は、それぞれ筐体１の表面に露出するよう構成している。
【００２８】
上記構成において動作を説明する。なお、洗い行程から乾燥行程までの基本的な動作は従来例と同じであるので説明を省略する。
【００２９】
衣類が乾燥すると、回転する回転翼６との摩擦により、衣類の表面からほこり、糸くずが発生して浮遊し、乾燥用送風機１２により発生する循環風によって、フィルター装置３２に運ばれる。糸くずは、まず、網目３６が大きい第１フィルター本体３４で回収され、第１フィルター本体３４で回収されなかった糸くずは、網目３７が小さい第２フィルター本体３５で回収される。
【００３０】
運転終了後、使用者が第１フィルター本体３４、第２フィルター本体３５を外し、ほこりを機外へ排出するとき、第１フィルター本体３４の把手部３８と第２フィルター本体３５の把手部３９とがそれぞれ筐体１の表面に露出しているため、使用者は容易にそれぞれのフィルター本体の把手部を認識でき、把手部を持ち、容易にフィルター本体を取り外すことができる。
【００３１】
また、それぞれのフィルター本体の把手部が見えるため、使用者がフィルター本体の取り外しを忘れることもないため、フィルター本体に糸くずがたまったままになり、その結果、循環風の循環が少なくなり、乾燥効率が悪くなることもなくすことができる。
【００３２】
（実施例２）
図３および図４に示すように、フィルター装置４０は、送風が入り込むフィルターケース４１を有し、フィルターケース４１の中に網目の大きさが異なる第１フィルター本体４２と第２フィルター本体４３とを重ね合わせて収容し、第１フィルター本体４２、第２フィルター本体４３は着脱可能に配設している。
【００３３】
ここで、網目４４が大きい第１フィルター本体４２を網目４５が小さい第２フィルター本体４３より上流側に設けており、第２フィルター本体４３は、フィルターケース４１の内側面に設けた傾斜ガイドリブ４６に沿って、傾斜ガイドリブ４６に連通したフィルターケース４１の側面に設けたフィルター本体固定リブ４７内に案内されて収容するようにしている。他の構成は上記実施例１と同じであり、同一符号を付して説明を省略する。
【００３４】
上記構成において動作を説明する。衣類が乾燥すると、回転する回転翼６との摩擦により、衣類の表面からほこり、糸くずが発生して浮遊し、乾燥用送風機１２により発生する循環風によって、フィルター装置４０に運ばれる。糸くずは、まず、網目４４が大きい第１フィルター本体４２で回収され、第１フィルター本体４２で回収されなかった糸くずは、網目４５が小さい第２フィルター本体４３で回収される。
【００３５】
運転終了後、使用者が第１フィルター本体４２および第２フィルター本体４３に回収された糸くずを機外へ排出し、第２フィルター本体４３をフィルターケース４１に取り付けるとき、第２フィルター本体４３はフィルターケース４１の内側面に設けた傾斜ガイドリブ４６に当たり、傾斜ガイドリブ４６の傾斜に沿って下方に案内される。
【００３６】
傾斜ガイドリブ４６は、フィルター本体固定リブ４７と連通しているため、第２フィルター本体４３は、そのままフィルター本体固定リブ４７内に案内され、フィルターケース４１にセットされる。このように、第２フィルター本体４３は、フィルターケース４１に容易に取り付けることができる。
【００３７】
（実施例３）
図５および図６に示すように、フィルター装置４８は、送風が入り込むフィルターケース４９を有し、フィルターケース４９の中に網目の大きさが異なる第１フィルター本体５０と第２フィルター本体５１とを重ね合わせて収容し、第１フィルター本体５０、第２フィルター本体５１は着脱可能に配設している。
【００３８】
ここで、網目５２が大きい第１フィルター本体５０を網目５３が小さい第２フィルター本体５１より上流側に設けており、第２フィルター本体５１は、フィルターケース４９内側面に設けた傾斜ガイドリブ５４に沿って、傾斜ガイドリブ５４に連通したフィルターケース４９の側面に設けたフィルター本体固定リブ５５内に案内されて収容するようにしている。
【００３９】
第２フィルター本体５１の片側にはリブ５１ａを設けており、左右の厚さは、たとえば、Ａ寸法が５ｍｍ、Ｂ寸法が１０ｍｍのように異なる。また、フィルター本体固定リブ５５の左右の幅も、たとえば、Ｃ寸法が６ｍｍ、Ｄ寸法が１１ｍｍのように異なるようにしている。他の構成は上記実施例１と同じであり、同一符号を付して説明を省略する。
【００４０】
上記構成において動作を説明する。衣類が乾燥すると、回転する回転翼６との摩擦により、衣類の表面からほこり、糸くずが発生して浮遊し、乾燥用送風機１２により発生する循環風によって、フィルター装置４８に運ばれる。糸くずは、まず、網目５２が大きい第１フィルター本体５０で回収され、第１フィルター本体５０で回収されなかった糸くずは、網目５３が小さい第２フィルター本体５１で回収される。
【００４１】
運転終了後、使用者が第１フィルター本体５０および第２フィルター本体５１に回収された糸くずを機外へ排出し、第２フィルター本体５１をフィルターケース４９に取り付けるとき、誤って逆向きに第２フィルター本体５１をフィルターケース４９の側面に設けたフィルター本体固定リブ５５内に挿入した場合、第２フィルター本体５１にリブ５１ａを設けており（Ｂ寸法１０ｍｍ）、フィルター本体固定リブ５５の幅も左右で異なっているため（Ｃ寸法６ｍｍ）、第２フィルター本体５１は、フィルターケース４９に取り付けることはできない。
【００４２】
このように、第２フィルター本体５１をフィルターケース４９に取り付ける際に、誤って逆向きに取り付けようとされた場合でも、取り付けることができず、フィルター本体の誤挿入を防ぐことができる。
【００４３】
（実施例４）
図７および図８に示すように、フィルター装置５６は、送風が入り込むフィルターケース５７を有し、フィルターケース５７の中に網目の大きさが異なる第１フィルター本体５８と第２フィルター本体５９とを重ね合わせて収容し、第１フィルター本体５８、第２フィルター本体５９は着脱可能に配設している。
【００４４】
ここで、網目６０が大きい第１フィルター本体５８を網目６１が小さい第２フィルター本体５９より上流側に設けており、第１フィルター本体５８は、下方からの送風を受け入れる大きい網目６０のネット部６２を有し、ネット部６２の上方に設けた紐体６３を第１フィルター本体５８の把手側に設けたフック６４に係止する構成としている。他の構成は上記実施例１と同じであり、同一符号を付して説明を省略する。
【００４５】
上記構成において動作を説明する。衣類が乾燥すると、回転する回転翼６との摩擦により、衣類の表面からほこり、糸くずが発生して浮遊し、乾燥用送風機１２により発生する循環風によって、フィルター装置５６に運ばれる。糸くずは、まず、網目６０が大きい第１フィルター本体５８で回収され、第１フィルター本体５８で回収されなかった糸くずは、網目６１が小さい第２フィルター本体５９で回収される。
【００４６】
ここで、第１フィルター本体５８のネット部６２は、ネット部６２の上方に設けた紐体６３を第１フィルター本体５８の把手側に設けたフック６４に係止しているため、ネット
部６２の糸くず回収面積は大きく、効率よく糸くずを回収できる。
【００４７】
また、運転終了後、使用者が第１フィルター本体５８に回収された糸くずを機外へ排出し、ネット部６２をセットする際、ネット部６２の上方に設けた紐体６３を把手側に設けたフック６４に引っ掛けるだけでセットができるため、ネット部６２を容易にセットすることができる。
【００４８】
（実施例５）
図９および図１０に示すように、第１フィルター本体６５は、下方からの送風を受け入れるネット部６６を有し、ネット部６６の上方に設けた紐体６７を第１フィルター本体６５の把手側に設けたフック６８に係止する構成とし、フック６８は、紐体抜け防止用の係止部６８ａを一体に有している。他の構成は上記実施例４と同じであり、同一符号を付して説明を省略する。
【００４９】
上記構成において動作を説明する。運転終了後、使用者が第１フィルター本体６５に回収された糸くずを機外へ排出するため、フィルターケース５７から第１フィルター本体６５を取り外す際に、フック６８にセットされた紐体６７は、紐体抜け防止用の係止部６８ａがあるため外れにくく、そのため、紐体６７が外れて、ネット部６６内に回収された糸くずが落ち出るのを防止することができる。
【００５０】
【発明の効果】
以上のように本発明の請求項１に記載の発明によれば、筐体内に弾性的に吊支した外槽と、回転中心軸を略鉛直方向に有し前記外槽内に回転自在に支持した内槽と、前記内槽の内底部に回転自在に設けた回転翼と、前記内槽または回転翼を駆動する駆動手段と、前記内槽内に送風する送風手段と、前記送風手段により送風される空気を加熱する加熱手段と、前記送風手段による送風中のほこり、糸くずなどを回収するフィルター装置とを備え、前記フィルター装置は、送風が入り込むフィルターケースを有し、前記フィルターケースの中に網目の大きさが異なる第１フィルター本体と第２フィルター本体とで構成し、これらフィルター本体の把手部を筐体の表面にそれぞれ露出させ、一方のフィルター本体は、前記フィルターケースの内側面に設けた傾斜ガイドリブに沿って、前記フィルターケースに収容するようにしたから、フィルター本体の取り外し性を向上することができ、フィルター本体の取り外し忘れを防ぐことができて、乾燥効率の悪化を防止することができる。また、フィルター本体をフィルターケースに取り付ける際に、フィルター本体は、フィルターケースの内側面に設けた傾斜ガイドリブに沿って、フィルターケースに収容されるため、フィルター本体の取り付け性をよくすることができる。
【００５１】
また、請求項２に記載の発明によれば、一方のフィルター本体は、その逆向き挿入時においては、フィルターケース内側面に設けた傾斜ガイドリブの下方に設けたフィルター本体固定リブ内に受け入れられない構成としたから、フィルター本体をフィルターケースに取り付ける際に、誤って逆向きに取り付けようとした場合でも、フィルターケースの内側面に設けた傾斜ガイドリブの下方に設けたフィルター本体固定リブ内にフィルター本体は入らないため、フィルター本体の逆向き誤挿入を防ぐことができる。
【図面の簡単な説明】
【図１】  本発明の第１の実施例の洗濯乾燥機の断面図
【図２】  同洗濯乾燥機の要部拡大断面図
【図３】  本発明の第２の実施例の洗濯乾燥機の要部断面図
【図４】  同洗濯乾燥機の第２フィルター本体を取り付ける状態の要部断面図
【図５】  本発明の第３の実施例の洗濯乾燥機の要部断面図
【図６】  （ａ）同洗濯乾燥機の第２フィルター本体の斜視図
（ｂ）同洗濯乾燥機のフィルターケースの要部斜視図
【図７】  本発明の第４の実施例の洗濯乾燥機の要部断面図
【図８】  同洗濯乾燥機の第１フィルター本体の側面図
【図９】  本発明の第５の実施例の洗濯乾燥機の要部断面図
【図１０】  同洗濯乾燥機の第１フィルター本体の側面図
【図１１】  従来の洗濯乾燥機の断面図
【図１２】  同洗濯乾燥機の要部断面図
【符号の説明】
１  筐体
３  外槽
４  内槽
６  回転翼
８  モータ（駆動手段）
１２  乾燥用送風機（送風手段）
１３  ヒータ（加熱手段）
３２  フィルター装置
３４  第１フィルター本体
３５  第２フィルター本体
３８  把手部
３９  把手部
【図１】
0004639552.tif 000002
【図２】
0004639552.tif 000003
【図３】
0004639552.tif 000004
【図４】
0004639552.tif 000005
【図５】
0004639552.tif 000006
【図６】
0004639552.tif 000007
【図７】
0004639552.tif 000008
【図８】
0004639552.tif 000009
【図９】
0004639552.tif 000010
【図１０】
0004639552.tif 000011
【図１１】
0004639552.tif 000012
【図１２】
0004639552.tif 000013